(57)【特許請求の範囲】
【請求項１】
先端が二股になっていて前記二股の間に２本の回転軸を挟持する挟持部を備え、且つ、前記挟持部の下部から前記先端と対向する端までの部分が、手で握れる長さを有する柄部と、
前記２本の回転軸のうち一方の回転軸に挿通され、中心に前記回転軸を挿通する開口を有し、外周に沿って放射状に毛束を備えた円盤形状または円柱形状のブラシ部と、
前記ブラシ部に隣接して設けられ、且つ、前記回転軸とは他方の回転軸に挿通され、外周に螺旋状に溝が設けられた円柱形状のスパイラルローラー部と、を備え、
前記ブラシ部の前記毛束の先端が、前記スパイラルローラー部の前記溝に嵌まることを特徴とする歯ブラシ。
【請求項２】
先端が二股になっていて前記二股の間に２本の回転軸を挟持する挟持部を備え、且つ、前記挟持部の下部から前記先端と対向する端までの部分が、手で握れる長さを有する柄部と、
前記２本の回転軸のうち一方の回転軸に挿通され、中心に前記回転軸を挿通する開口を有し、外周に沿って放射状に毛束を備えた円盤形状または円柱形状のブラシ部と、
前記ブラシ部に隣接して設けられ、且つ、前記回転軸とは他方の回転軸に挿通され、外周に沿って放射状に毛束を備えた円盤形状または円柱形状の下段ブラシ部と、を備え、
前記ブラシ部の前記毛束の先端が、前記下段ブラシ部の前記毛束の先端と先端との間隙に入り込んでおり、前記ブラシ部が回転するのに伴って、前記下段ブラシ部も回転することを特徴とする歯ブラシ。
【請求項３】
先端が二股になっていて前記二股の間に２本の回転軸を挟持する挟持部を備え、且つ、前記挟持部の下部から前記先端と対向する端までの部分が、手で握れる長さを有する柄部と、
弾性を有する素材から作られ、前記２本の回転軸の上段回転軸に挿通され、弾性を有する素材から作られた円盤形状のマッサージ盤が複数枚重ねて挿通されたマッサージ部と、
前記マッサージ部に隣接して設けられ、且つ、前記回転軸の下段回転軸に挿通され、弾性を有する素材から作られた円盤形状のマッサージ盤が複数枚重ねられた下段マッサージ部と、を備え、
前記マッサージ部の複数のマッサージ盤が重ねられた間隙に前記下部マッサージ部の複数のマッサージ盤の外端が入り込んでおり、前記マッサージ部が回転するのに伴って、前記下段マッサージ部も回転することを特徴とする歯ブラシ。
【請求項４】
先端が二股になっていて前記二股の間に２本の回転軸を挟持する挟持部を備え、且つ、前記挟持部の下部から前記先端と対向する端までの部分が、手で握れる長さを有する柄部と、
前記２本の回転軸のうちの一方の回転軸に挿通され、中心に前記回転軸を挿通する開口を有し、外周に沿って放射状に毛束を備えた円盤形状または円柱形状のブラシ部と、
前記ブラシ部に隣接して設けられ、且つ、前記回転軸とは他方の回転軸に挿通され、弾性を有する素材から作られた円盤形状のマッサージ盤が複数枚重ねて挿通されたマッサージ部と、を備え、
前記ブラシ部の前記毛束の先端が、前記複数のマッサージ盤が重ねられた間隙に入り込んでおり、前記ブラシ部が回転するのに伴って、前記マッサージ部も回転することを特徴とする歯ブラシ。
【請求項５】
先端が二股になっていて前記二股の間に回転軸を挟持する挟持部を備え、且つ、前記挟持部の下部から前記先端と対向する端までの部分が、手で握れる長さを有する柄部と、
前記二股の付け根に設けられた櫛歯と、
前記櫛歯に隣接して設けられ、前記回転軸に挿通され、中心に前記回転軸を挿通する開口を有し、外周に沿って放射状に毛束を備えた円盤形状または円柱形状のブラシ部とを有し、
前記ブラシ部が回転する際に、前記ブラシ部の前記毛束の先端が、前記櫛歯の溝に嵌ることを特徴とする歯ブラシ。
【発明の詳細な説明】
【技術分野】
【０００１】
本発明は、歯の表面の汚れを効果的に落とすことができ、歯と歯の間まで綺麗に磨くことができて、歯と歯茎もマッサージも行うことができる歯ブラシに関するものである。
【背景技術】
【０００２】
従来の歯ブラシは、スティック状の柄の先端に設けられた平たい楕円形状部分の一面に毛束を同一方向に植毛した構造であり、当該毛束を歯に押し当て、小刻みに動かすことによって、歯の汚れをこそぎ落とすものが一般的であった。最近は、特許文献１のように、平面に植毛された毛束ではなく、回転軸の外周３６０度すべてに毛束が突出するよう、毛束を束ねたものを取り付け、回転軸を回転させることにより、毛束の先端を歯の表面に当てて汚れを落とす回転式歯ブラシも考案されている。
【先行技術文献】
【特許文献】
【０００３】
【特許文献１】特開２０１４−００４２０２号公報
【発明の概要】
【発明が解決しようとする課題】
【０００４】
特許文献１のような回転式歯ブラシは、毛束を平面上に植毛した歯ブラシより、植毛できる毛の本数が格段に多いため、歯の汚れをこそげ落とす効果も高い。しかし、毛が密集して植毛されており、毛と毛の間のわずかな隙間に歯の汚れが入り込んで落ちにくく、歯ブラシ自身の手入れ、清掃が行いにくい。
【０００５】
また、特許文献１の回転歯ブラシは、毛束を歯の表面に押し当てることによって回転軸を回転させるが、歯の表面はツルツルしているので、毛束が歯の表面を空回りしてしまい、歯みがきが効果的に行えないという問題もあった。そこで、この発明の目的は、回転軸に設けられた毛束を、二連にする又は櫛歯をつける等の構成によって、歯の表面に押し当てて使用する際は、毛束が空回りせず、流水で毛束を洗う際は、ブラシを指で回転させて効率よく清掃することができる。手入れが簡単で、歯みがきを効果的に行える優れた回転式歯ブラシを提供する。
【課題を解決するための手段】
【０００６】
この発明の歯ブラシは、先端が二股になっていて前記二股の間に２本の回転軸を挟持する挟持部を備え、且つ、前記挟持部の下部から前記先端と対向する端までの部分が、手で握れる長さを有する柄部と、前記２本の回転軸のうち一方の回転軸に挿通され、中心に前記回転軸を挿通する開口を有し、外周に沿って放射状に毛束を備えた円盤形状または円柱形状のブラシ部と、前記回転軸とは他方の回転軸に挿通され、外周に螺旋状に溝が設けられた円柱形状のスパイラルローラー部と、を備えたことを特徴とする。
【０００７】
この発明によれば、回転軸に挿通されたブラシ部が回転して、ブラシ部の外周に沿って放射状に設けられた毛束が、歯の表面に付着した汚れを掻き出すので、歯を効率よく綺麗にすることができる。また、ブラシ部に備えられた放射状の毛束が、ブラシ部の真下に設けられたスパイラルローラー部のスパイラル状（換言すると螺旋状）に設けられた溝に嵌り、ブラシ部が空回りするのを防ぐので、ツルツルした歯の表面でも、ブラシ部が滑らず、しっかりと汚れを掻き出すことができる。
【０００８】
また、この発明の歯ブラシは、先端が二股になっていて前記二股の間に２本の回転軸を挟持する挟持部を備え、且つ、前記挟持部の下部から前記先端と対向する端までの部分が、手で握れる長さを有する柄部と、前記２本の回転軸に挿通され、中心に前記回転軸を挿通する開口を有し、外周に沿って放射状に毛束を備えた円盤形状または円柱形状の２つのブラシ部と、を備えたことを特徴とする。
【０００９】
この発明によれば、回転軸に挿通された２つのブラシ部が歯の上面で回転し、ブラシ材の先端で歯の表面の汚れ、歯と歯の間の汚れを掻き出すので、迅速かつ効果的に歯の清掃を行うことができる。
【００１０】
また、この発明の歯ブラシは、先端が二股になっていて前記二股の間に２本の回転軸を挟持する挟持部を備え、且つ、前記挟持部の下部から前記先端と対向する端までの部分が、手で握れる長さを有する柄部と、ゴム素材またはシリコン素材その他の弾性を有する素材から作られ、前記２本の回転軸にそれぞれ挿通された複数の円盤形状のマッサージ部と、を備えたことを特徴とする。
【００１１】
この発明によれば、回転軸に挿通されたゴム素材またはシリコン素材その他の弾性を有する素材から作られたマッサージ部が歯茎のマッサージを行うので、迅速かつ効果的に歯の清掃を行いながら、同時に、歯茎のマッサージを行うことができる。
【００１２】
また、この発明の歯ブラシは、先端が二股になっていて前記二股の間に２本の回転軸を挟持する挟持部を備え、且つ、前記挟持部の下部から前記先端と対向する端までの部分が、手で握れる長さを有する柄部と、前記２本の回転軸のうちの一方の回転軸に挿通され、中心に前記回転軸を挿通する開口を有し、外周に沿って放射状に毛束を備えた円盤形状または円柱形状のブラシ部と、ゴム素材またはシリコン素材その他の弾性を有する素材から作られ、前記回転軸とは他方の回転軸に挿通された複数の円盤形状のマッサージ部と、を備えたことを特徴とする。
【００１３】
この発明によれば、回転軸に挿通されたブラシ部が歯の上面で回転し、ブラシ材の先端で歯の表面の汚れ、歯と歯の間の汚れを掻き出し、さらに、ゴム素材またはシリコン素材その他の弾性を有する素材から作られたマッサージ部が歯茎のマッサージを行うので、迅速かつ効果的に歯の清掃を行いながら、同時に、歯茎のマッサージを行うことができる。
【００１４】
また、この発明の歯ブラシは、先端が二股になっていて前記二股の間に２本の回転軸を挟持する挟持部を備え、且つ、前記挟持部の下部から前記先端と対向する端までの部分が、手で握れる長さを有する柄部と、前記二股の付け根に設けられた櫛歯と、前記回転軸に挿通され、中心に前記回転軸を挿通する開口を有し、外周に沿って放射状に毛束を備えた円盤形状または円柱形状のブラシ部と、を有することを特徴とする。
【００１５】
この発明によれば、回転軸に挿通されたブラシ部が回転して、ブラシ部に設けられたブラシ材が、歯の表面に付着した汚れを掻き出すので、歯を効率よく綺麗にすることができる。
【図面の簡単な説明】
【００１６】
【図１】この発明の実施の形態１にかかる歯ブラシの平面図である。
【図２】図１に示した歯ブラシのブラシ部及びスパイラルローラー部周辺の拡大平面図である。
【図３】図１に示した歯ブラシのブラシ部及びスパイラルローラー部周辺の拡大左側面図である。
【図４】図１に示した歯ブラシのブラシ部及びスパイラルローラー部を説明するための参考模式図である。
【図５】図１に示した歯ブラシの使用方法を説明するための参考図である。
【図６】図１に示した歯ブラシの使用状態を示す参考図である。
【図７】この発明の実施の形態２にかかる歯ブラシの斜視図である。
【図８】図８に示した歯ブラシのブラシ部周辺の拡大平面図である。
【図９】図８に示した歯ブラシのブラシ部周辺の拡大左側面図である。
【図１０】この発明の実施の形態３にかかる歯ブラシの平面図である。
【図１１】図１０に示した歯ブラシのマッサージ部の（ａ）平面図（ｂ）正面図（ｃ）背面図である。
【図１２】図１０に示した歯ブラシのマッサージ部周辺の拡大平面図である。
【図１３】図１０に示した歯ブラシのマッサージ部周辺の拡大左側面図である。
【図１４】この発明の実施の形態４にかかる歯ブラシの平面図である。
【図１５】図１４に示した歯ブラシのブラシ部及び下段変形マッサージ部周辺の拡大平面図である。
【図１６】図１４に示した歯ブラシのブラシ部及び下段変形マッサージ部周辺の拡大左側面図である。
【図１７】この発明の実施の形態５にかかる歯ブラシの斜視図である。
【図１８】図１７に示した歯ブラシのブラシ部及び下段ブラシ部周辺を示す拡大平面図である。
【図１９】図１７に示した歯ブラシのブラシ部及び下段ブラシ部周辺を示す拡大左側面図である。
【発明を実施するための形態】
【００１７】
以下、本発明の実施の形態について、図面を示しながら詳細に説明する。
（実施の形態１）
【００１８】
まず最初に、図１から図６を示しながら、実施の形態１の歯ブラシ１００について説明する。図１は、この発明の実施の形態１にかかる歯ブラシの平面図である。図２は、図１に示した歯ブラシのブラシ部１及びスパイラルローラー部２周辺の拡大平面図である。図３は、図１に示した歯ブラシのブラシ部１及びスパイラルローラー部２周辺の拡大左側面図である。図４は、図１に示した歯ブラシのブラシ部１及びスパイラルローラー部２を説明するための参考模式図である。図５は、図１に示した歯ブラシ１００の使用方法を説明するための参考図である。
【００１９】
図１に示すように、実施の形態１の歯ブラシ１００は、先端が二股になっていて前記二股の間に２本の回転軸を挟持する挟持部を備え、且つ、前記挟持部の下部から前記先端と対向する端までの部分が、手で握れる長さを有する柄部３と、柄部３の先端の二股部分に取り付けられ、回転軸７に挿通され、外周に放射状に毛束を備えたブラシ部１、ブラシ部１の下側に取り付けられた、円筒形状で外周表面に螺旋状に溝が設けられたスパイラルローラー部２を主に有する。
【００２０】
歯ブラシ１００の柄部３は、手で握りやすい太さであって、素材は、プラスチック素材や樹脂材その他の軽く硬質の素材からなる。木材やアルミ素材を用いてもよい。奥歯まで磨けるよう、ある程度の長さをもったものが用いられる。柄部３の長さは、１０センチメートルから２５センチメートルくらいまでがよい。子供用には短めの柄部３で、大人用は、長めの柄部３とするのがよい。
【００２１】
柄部３の先端は、二股になっていて、二股の間に回転軸７が備えられている。柄部３の先の二股になったそれぞれの先端の内側には穴が設けられ、回転軸７の両端が穴に嵌められることで、回転軸７が、柄部３の先端に、回転可能に保持されている。回転軸７には、円柱形状のブラシ部１が取り付けられている。ブラシ部１の中心軸に沿って設けられた孔である開口１２に、回転軸７が挿通され、ブラシ部１は、回転軸７の回転に伴って、同時に回転するようになっている。
【００２２】
二股の根元部分（換言するとＵ字の底の部分）には、スリット３３が設けられている。スリット３３が設けられていることで、二股の先端が広げやすくなっている。スリット３３が設けられていることで、二股の先端である挟持部３１、３２を手でつまんで広げると、簡単に広がるので、挟持部３１、３２の間に支持されているブラシ部１やスパイラルローラー部２を取り外しやすく、また、新しいものを嵌めこみやすい。ブラシ部１は毛先が汚れたら、すぐに新品に交換することができ、スパイラルローラー部２は、汚れたら、柄部３から取り外して、合成洗浄剤等で洗浄したり、乾燥を行うことができる。
【００２３】
図２に示すように、円筒形状のブラシ部１の外周表面には、細い毛束１１ｂが、隙間なく設けられている。ブラシ材１１は、外周に放射状に毛束１１ｂが設けられたドーナツ形状の軸１１ａを複数並べて円筒形状としたものである。ドーナツ形状の軸１１ａの中心に設けられた穴には、回転軸７が挿通可能である。ブラシ材１１の素材は、極細のナイロン繊維が最適である。繊維直径は０．０３ミリメートルから０．１ミリメートルまでが良く、最適な直径は０．０６ミリメートルから０．０８ミリメートルである。豚毛等の天然毛は太すぎるので不適である。毛先はラウンドカット、超極細毛どちらを用いてもよい。
【００２４】
円筒形状のブラシ部１の下側には、スパイラルローラー部２が設けられている。スパイラルローラー部２も、ブラシ部１と同様に、柄部３の先端の二股部分の間に、回転軸７を設けたうえ、回転軸７に取り付けられている。スパイラルローラー部２は、中心軸に沿って開けられた穴である開口２２を有する円柱形状であって、開口２２には、回転軸７が挿通されている。スパイラルローラー部２は、回転軸７を軸として回転する。
【００２５】
スパイラルローラー部２の外周表面には、スパイラル状に凸部が設けられている。スパイラル状に設けられた凸部と凸部との間の螺旋状の溝（螺子に溝のようなスパイラル状の溝）には、隣接して設置されたブラシ部１のブラシ材１１の先端が入り込むようになっている。ブラシ部１が回転するのに伴って、ブラシ材１１がスパイラルローラー部２の螺子溝に入り込んで嵌合し、スパイラルローラー部２も伴って回転するようになっている。また、スパイラルローラー部２の溝は、螺旋状に設けられているので、スパイラルローラー部２の溝に嵌った、ブラシ部１の毛束１１ｂは、スパイラルローラー部２の回転に伴って、若干左右に動きながら回転する。この左右に振れながら回転する毛束１１ｂは、歯の表面の汚れ、歯と歯の間の歯垢を、効果的に掻き出すことができる。
【００２６】
図３に示すように、ブラシ部１とスパイラルローラー部２は、隣接して設けられ、ブラシ部１のブラシ材１１の先端がスパイラルローラー部２に重なるように設けられているので、一方が回転すると、他方も伴って回転するような構成となっている。
【００２７】
図４に示すように、ブラシ部１が時計回りに回転すると、ブラシ部１に伴って回転するスパイラルローラー部２の回転方向は反時計周りとなる。したがって、図５に示すように、ブラシ部１は、スパイラルローラー部２と反対方向に回転することで、ブラシ部１の回転に負荷をかけ回転しすぎを制御し、ブラシ材１１が毛先が歯の表面を力強く擦動して汚れを落とし、歯と歯の間の汚れをこそげ落とす。
【００２８】
次に、図６を示しながら、歯ブラシ１００の使用方法について説明する。図６は、図１に示した歯ブラシ１００の使用状態を示す参考図である。
【００２９】
図６に示すように、歯ブラシ１００は、柄部３を握って、ブラシ部１を歯に押し当て、ブラシ材１１の先端で歯の表面、歯と歯の間の汚れを掻き出して掃除するものである。ブラシ部１のブラシ材１１を歯の表面に押し付けると、ブラシ部１が回転し、ブラシ材１１が歯の表面を擦動して、歯と歯の間の汚れを、こそぎ落とす。歯の表面は、ツルツルしているので、ブラシ部１が回転しすぎると、歯の表面で空回りし、ブラシ材１１が歯の表面を十分に掻き出せないことがあるが、スパイラルローラー部２が設けられていることで、ブラシ部１の回転が制御され、歯の表面をブラシ材１１が力強く擦動し、汚れを効果的に、掻き出す。
【００３０】
（実施の形態２）
次に、図７から図９を示しながら、実施の形態２にかかる歯ブラシ２００について説明する。図７は、この発明の実施の形態２にかかる歯ブラシ２００の斜視図である。図８は、図７に示した歯ブラシ２００のブラシ部１及び下段ブラシ部４周辺の拡大平面図である。図９は、図７に示した歯ブラシの２００ブラシ部１及び下段ブラシ部４周辺の拡大左側面図である。
【００３１】
図７に示すように、歯ブラシ２００は、  先端が二股になっていて前記二股の間に２本の回転軸を挟持する挟持部を備え、且つ、前記挟持部の下部から前記先端と対向する端までの部分が、手で握れる長さを有する柄部３と、柄部３の先端の二股部分に取り付けられたブラシ部１、ブラシ部１の下側に、ブラシ部１と並列的に取り付けられた、下段ブラシ部４とを主に有する。
【００３２】
歯ブラシ２００の柄部３は、手で握りやすい太さであって、素材は、プラスチック素材や樹脂材その他の軽く硬質の素材からなる。木材やアルミ素材を用いてもよい。奥歯まで磨けるよう、ある程度の長さをもったものが用いられる。柄部３の長さは、１０センチメートルから２５センチメートルくらいまでがよい。子供用には短めの柄部３で、大人用は、長めの柄部３とするのがよい。
【００３３】
柄部３の先端は、二股になっていて、二股の間には回転軸７が上下に二段、挟持されている。柄部３の先の二股になったそれぞれの先端の内側には穴が設けられ、回転軸７の両端が穴に嵌められ回転可能に保持されている。上段の回転軸７には、円柱形状のブラシ部１が取り付けられている。ブラシ部１の中心軸に沿って設けられた孔である開口１２には、回転軸７が挿通され、ブラシ部１は、回転軸７の回転に伴って、同時に回転するようになっている。下段ブラシ部４の中心軸に沿って設けられた孔である開口４２には、回転軸７が挿通され、ブラシ部１は、回転軸７の回転に伴って、同時に回転するようになっている。
【００３４】
下段の回転軸７には、円柱形状の下段ブラシ部４が取り付けられている。ブラシ部１と下段ブラシ部４は、上下密着するように設けられており、一方が回転すると、他方も伴って回転するようになっている。歯ブラシ２００は、歯ブラシの放射状の毛束が二連あり連動して回転することで、ブラシ部１が歯の表面を擦動して汚れを浮かせ、その浮いた汚れを下段ブラシ部４がすぐに掻き出す、というように、歯の清掃において、相乗的な効果を奏する。また、歯ブラシ２００を洗浄する際も、一方のブラシ部１を指で押して回転させると、下段ブラシ部４も回転するので、同時に効率的に洗浄できる。
【００３５】
図８に示すように、円筒形状のブラシ部１及び下段ブラシ部４の外周表面には、細い毛束であるブラシ材１１が、くまなく設けられている。ブラシ材１１の素材は、極細のナイロン繊維が最適である。繊維直径は０．０３ミリメートルから０．１ミリメートルまでが良く、最適な直径は０．０６ミリメートルから０．０８ミリメートルである。豚毛等の天然毛は太すぎるので不適である。豚毛等の天然毛は太すぎるので不適である。毛先はラウンドカット、超極細毛どちらを用いてもよい。
【００３６】
図９に示すように、ブラシ部１と下段ブラシ部４は、隣接して設けられ、ブラシ部１のブラシ材１１の先端が下段ブラシ部４のブラシ材の先端と嵌合しあうように取り付けられており、一方が回転すると、他方も伴って回転する構成となっている。
【００３７】
ブラシ部１が時計回りに回転すると、ブラシ部１に伴って回転する下段ブラシ部４の回転方向は反時計周りとなる。ブラシ部１は、下段ブラシ部４と反対方向に回転し、ブラシ材１１の毛先が歯の表面を擦って汚れを落とし、歯と歯の間の汚れをこそげ落とす。
【００３８】
歯ブラシ２００は、柄部３を握って、ブラシ部１及び下段ブラシ部４を歯に押し当て、ブラシ材１１の先端で歯の表面、歯と歯の間の汚れを掻き出して掃除するものである。ブラシ部が２つ設けられ、実施の形態１の歯ブラシ１００に比べ、ブラシ面が２倍になっているので、一度に、広い面積を磨くことができる。２つのブラシ部が互いに負荷をかけあって、互いの回転しすぎを抑制するので、歯の表面をブラシ毛が空滑りすることなく、歯の汚れを効率よく掻き出すことができる。上側のブラシ部１のみ歯に押し当てて、歯の奥等、狭い部分を磨いたり、ブラシ部１と下段ブラシ部４とを同時に使って前歯等、歯の広い部分を磨いたり、磨きたい場所にあわせて、ブラシ部１と下段ブラシ部４とを、効果的に組み合わせて、歯を掃除することができる。
【００３９】
（実施の形態３）
次に、図１０から図１３を示しながら、実施の形態３の歯ブラシ３００について説明する。図１０は、この発明の実施の形態３にかかる歯ブラシ３００の平面図である。図１１は、図１０に示した歯ブラシ３００のマッサージ部５の（ａ）平面図（ｂ）正面図（ｃ）背面図である。図１２は、図１０に示した歯ブラシ３００のマッサージ部周辺の拡大平面図である。図１３は、図１０に示した歯ブラシ３００のマッサージ部５周辺の拡大左側面図である。
【００４０】
図１０に示すように、歯ブラシ３００は、  先端が二股になっていて前記二股の間に２本の回転軸を挟持する挟持部を備え、且つ、前記挟持部の下部から前記先端と対向する端までの部分が、手で握れる長さを有する柄部３、柄部３の先端の二股部分に取り付けられたマッサージ部５、マッサージ部５の下側に、並列的に取り付けられた、下段マッサージ部６を、主に有する。歯ブラシ３００は、ブラシ毛を供えておらず、毛束ではなく合成樹脂その他の弾性を有する素材からなるマッサージ部５及び６で歯をこすることによって汚れを掻き出すものである。ブラシ毛を供えていないので、ブラシ毛がへたって消耗する心配がなく、耐久性が高い。また、マッサージ部５と下段マッサージ部６とで、歯の表面の清掃だけでなく、歯茎のマッサージもできることが特徴である
【００４１】
歯ブラシ３００の柄部３は、手で握りやすい太さであって、素材は、プラスチック素材や樹脂材その他の軽く硬質の素材からなる。木材やアルミ素材を用いてもよい。奥歯まで磨けるよう、ある程度の長さをもったものが用いられる。柄部３の長さは、１０センチメートルから２５センチメートルくらいまでがよい。子供用には短めの柄部３で、大人用は、長めの柄部３とするのがよい。
【００４２】
柄部３の先端は、二股になっていて、二股の間には回転軸７が上下に二段、挟持されている。柄部３の先の二股になったそれぞれの先端の内側には穴が設けられ、回転軸７の両端が穴に嵌められ回転可能に保持されている。上段の回転軸７には、中心に開口５２を有する歯車形状のマッサージ盤５１が、多数、重ねて、挿通されている。下段の回転軸７にも、同様に、中心に開口６２を有する歯車形状のマッサージ盤６１が取り付けられている。
【００４３】
図１１（ａ）に示すように、マッサージ盤５１は、薄い歯車形状であって、中心に開口５２が設けられている。中心に設けられた開口５２は、回転軸７の直径を略同径である。マッサージ盤５１は、ゴム素材やシリコン素材、軟質のプラスチック樹脂その他の歯茎のマッサージに適した素材で形成されている。歯車形状の外周には、Ｖ字切り込み５５が所定間隔で設けられ、歯茎のマッサージと行うと同時に、歯車部分で歯の汚れを掻き出し、Ｖ字切り込み５５に掻き出した歯の汚れが溜まるようになっている。
【００４４】
図１１（ｂ）及び（ｃ）に示すように、マッサージ盤５１は、薄い歯車形状であって、中心に設けられた開口５２の周辺は、盛り上がっており、中央凸部５４となっている。図１２に示すように、中央凸部５４が設けられていることで、回転軸７にマッサージ盤５１を重ねて挿通する際、マッサージ盤５１とマッサージ盤５１との間に、適度な隙間が担保される。また、該隙間には、隣接する下段マッサージ部６のマッサージ盤６１の先端が嵌まり、マッサージ部５と下段マッサージ部６とが、嵌合しあって、一方が回転すると、他方も伴って回転する効果が生じる。
【００４５】
図１３に示すように、マッサージ部５と下段マッサージ部６とは、隣接して設けられ、マッサージ部５に並べされたマッサージ盤５１とマッサージ盤５１との隙間に、下段マッサージ部６に並べられたマッサージ盤６１の先端が嵌って、連動するように取り付けられており、一方が回転すると、他方も伴って回転する構成となっている。
【００４６】
マッサージ部５が時計回りに回転すると、マッサージ部５に伴って回転する下段マッサージ部６の回転方向は反時計周りとなる。マッサージ部５は、下段マッサージ部６と反対方向に回転し、合成樹脂、ゴム素材またはシリコン素材のマッサージ盤５１及び６１が、歯と歯茎をマッサージし、歯の表面を擦って汚れを落とす。
【００４７】
（実施の形態４）
次に、図１４から図１６を示しながら、実施の形態４の歯ブラシ４００について説明する。図１４は、この発明の実施の形態４にかかる歯ブラシ４００の平面図である。図１５は、図１４に示した歯ブラシ４００のブラシ部１及び下段変形マッサージ部８周辺の拡大平面図である。図１６は、図１４に示した歯ブラシのブラシ部１及び下段変形マッサージ部８周辺の拡大左側面図である。
【００４８】
図１４に示すように、実施の形態４の歯ブラシ４００は、先端が二股になっていて前記二股の間に２本の回転軸を挟持する挟持部を備え、且つ、前記挟持部の下部から前記先端と対向する端までの部分が、手で握れる長さを有する柄部３と、柄部３の先端の二股部分に取り付けれ、ブラシ材を設けたブラシ部１、ブラシ部１の下側に取り付けられた、下段変形マッサージ部８を主に有する。歯ブラシ４００は、毛束を有するブラシ部１
【００４９】
歯ブラシ４００の柄部３は、手で握りやすい太さであって、素材は、プラスチック素材や樹脂材その他の軽く硬質の素材からなる。木材やアルミ素材を用いてもよい。奥歯まで磨けるよう、ある程度の長さをもったものが用いられる。柄部３の長さは、１０センチメートルから２５センチメートルくらいまでがよい。子供用には短めの柄部３で、大人用は、長めの柄部３とするのがよい。
【００５０】
柄部３の先端は、二股になっていて、二股の間には回転軸７が挟持されている。柄部３の先の二股になったそれぞれの先端の内側には穴が設けられ、回転軸７の両端が穴に嵌められ回転可能に保持されている。回転軸７には、円柱形状のブラシ部１が取り付けられている。ブラシ部１の中心軸に沿って設けられた孔である開口１２に、回転軸７が挿通され、ブラシ部１は、回転軸７の回転に伴って、同時に回転するようになっている。
【００５１】
図１５に示すように、二股の根元部分（換言するとＵ字の底の部分）には、スリット３３が設けられている。スリット３３が設けられていることで、二股の先端が広げやすくなっている。スリット３３が設けられていることで、二股の先端である挟持部３１、３２を手でつまんで広げると、簡単に広がるので、挟持部３１、３２の間に支持されているブラシ部１や下段変形マッサージ部８を取り外しやすく、また、新しいものを嵌めこみやすい。ブラシ部１は毛先が汚れたら、すぐに新品に交換することができ、下段変形マッサージ部８は、汚れたら、柄部３から取り外して、合成洗浄剤等で洗浄したり、乾燥を行うことができる。
【００５２】
図１６に示すように、円筒形状のブラシ部１の下側には、下段変形マッサージ部８が設けられている。下段変形マッサージ部８も、ブラシ部１と同様に、柄部３の先端の二股部分の間に、回転軸７を設けたうえ、回転軸７に取り付けられている。下段変形マッサージ部８は、中心に回転軸７を挿通する開口８２を備えた歯車形状のマッサージ盤８１が、回転軸７に複数重ねて挿通された構成である。マッサージ盤８１は、軟質のウレタンゴム樹脂や熱可塑性エラストマー等の素材からなり、歯茎のマッサージが可能である。マッサージ盤８１とマッサージ盤８１との間隙には、上段のブラシ部１のブラシ材１１の先端が入り込んでおり、ブラシ部１が回転するのに伴って、下段変形マッサージ部８も連動して回転するようになっている。
【００５３】
歯ブラシ４００は、柄部３を握って、ブラシ部１を歯に押し当て、ブラシ材１１の先端で歯の表面、歯と歯の間の汚れを掻き出して掃除しつつ、下段変形マッサージ部８で、歯茎のマッサージを行うものである。ブラシ部１のブラシ材１１を歯の表面に押し付けると、ブラシ部１が回転し、ブラシ材１１が歯の表面を擦動して、歯と歯の間の汚れを、こそぎ落とす。
【００５４】
歯の表面は、ツルツルしているので、ブラシ材１１が歯の表面を滑って、ブラシ部１の回転が鈍くなることがあるが、そういうときは、柄部３を握った手の親指を使って、下段変形マッサージ部８をしごき回転させると、ブラシ部１が下段変形マッサージ部８に伴って回転し、歯の表面をブラシ材１１が擦動して、汚れをかき出すことができる。また、下段変形マッサージ部８を歯茎に押し当てるようにして動かすと、ゴム素材またはシリコン素材でできた下段変形マッサージ部８のマッサージ盤８１で、歯茎をマッサージすることができる。
【００５５】
（実施の形態５）
次に、図１７から図１９を示しながら、実施の形態５の歯ブラシ５００について説明する。図１７は、この発明の実施の形態５にかかる歯ブラシ５００の斜視図である。図１８は、図１７に示した歯ブラシ５００のブラシ部１周辺を示す拡大平面図である。図１９は、図１７に示した歯ブラシ５００のブラシ部１周辺を示す拡大左側面図である。
【００５６】
図１７に示すように、実施の形態５の歯ブラシ５００は、先端が二股になっていて前記二股の間に２本の回転軸を挟持する挟持部を備え、且つ、前記挟持部の下部から前記先端と対向する端までの部分が、手で握れる長さを有する柄部３と、柄部３の先端の二股部分に取り付けれ、ブラシ材を設けたブラシ部１を主に有する。柄部３の上方であって、ブラシ部１の下方と接する部分には、櫛歯３４が設けられている。
【００５７】
歯ブラシ５００の柄部３は、手で握りやすい太さのであって、素材は、プラスチック素材や樹脂材その他の軽く硬質の素材からなる。木材やアルミ素材を用いてもよい。奥歯まで磨けるよう、ある程度の長さをもったものが用いられる。柄部３の長さは、１０センチメートルから２５センチメートルくらいまでがよい。子供用には短めの柄部３で、大人用は、長めの柄部３とするのがよい。
【００５８】
柄部３の先端は、二股になっていて、二股の間には回転軸７が挟持されている。柄部３の先の二股になったそれぞれの先端の内側には穴が設けられ、回転軸７の両端が穴に嵌められ回転可能に保持されている。回転軸７には、円柱形状のブラシ部１が取り付けられている。ブラシ部１の中心軸に沿って設けられた孔に、回転軸７が挿通され、ブラシ部１は、回転軸７の回転に伴って、同時に回転するようになっている。
【００５９】
柄部３の先端近傍であて、二股の根元部分（換言するとＵ字の底の部分）には櫛歯３４が設けられていて、櫛歯３４の歯と歯の間に、ブラシ部１の毛束１１ｂ先端が入り込んでいる。柄部３に櫛歯３４が設けられていること、櫛歯３４の溝に毛束１１ｂ先端が嵌っていることによって、次のような効果がある。すなわち、ブラシ部１が回転する際に、程よい負荷がかかり、ブラシ部１を歯の表面に当てて磨く際に、ブラシ部１が空回りしない。また、櫛歯３４の歯で、ブラシ部１の毛を梳かすので、ブラシ部１に挟まったゴミを櫛歯３４でこそげ落とすこともできる。３６０度方向に、放射状にブラシ毛を備えたブラシ部１ひとつの回転歯ブラシでは、ブラシ部１が回転しすぎて、歯の表面を空滑りして十分に歯の汚れを落とせない問題があった。歯ブラシ５００は、ブラシ部１の下方に櫛歯３４を設けることによって、ブラシ部１の回転に負荷をかけることによって、回転を制御させながら歯を磨くことが可能となり、歯の表面をブラシ毛が空滑りせず、歯の汚れを十分に掻き出すことができる。
【００６０】
図１８（ａ）に示すように、二股の根元部分であって櫛歯３４の中央近傍には、スリット３３が設けられている。スリット３３が設けられていることで、二股の先端が広げやすくなっている。スリット３３が設けられていることで、二股の先端である挟持部３１、３２を手でつまんで広げると、簡単に広がるので、挟持部３１、３２の間に支持されているブラシ部１を取り外しやすく、また、新しいものを嵌めこみやすい。
【００６１】
図１８（ｂ）に示すように、ブラシ部１は毛先が汚れたら、すぐに新品に交換することができ、また、柄部３から取り外して、合成洗浄剤等で洗浄したり、乾燥を行うことができる。ブラシ部１を取り外すと、柄部３の櫛歯３４を洗浄、清掃も行いやすくなる。
【００６２】
図１９に示すように、円筒形状のブラシ部１の外周表面には、細い毛束であるブラシ材１１が、くまなく設けられている。ブラシ材１１の素材は、極細のナイロン繊維が最適である。繊維直径は０．０３ミリメートルから０．１ミリメートルまでが良く、最適な直径は０．０６ミリメートルから０．０８ミリメートルである。豚毛等の天然毛は太すぎるので不適である。毛先はラウンドカット、超極細毛どちらを用いてもよい。
【００６３】
歯ブラシ５００は、柄部３を握って、ブラシ部１を歯に押し当て、ブラシ材１１の先端で歯の表面、歯と歯の間の汚れを掻き出して掃除する。ブラシ部１のブラシ材１１を歯の表面に押し付けると、ブラシ部１が回転し、ブラシ材１１が歯の表面を擦動して、歯と歯の間の汚れを、こそぎ落とす。歯の表面は、ツルツルしているので、ブラシ材１１が歯の表面を滑って、ブラシ部１の回転が鈍くなることがあるが、そういうときは、柄部３を握った手の親指を使って、ブラシ部１をしごいて回転させながら、歯に押し当てて、汚れをかき出すようにして使用するとよい。
【符号の説明】
【００６４】
１００，２００，３００，４００，５００  歯ブラシ
１          ブラシ部
１１      ブラシ材
１１ａ    軸
１１ｂ    毛束
１２      開口
２           スパイラルローラー部
２２      開口
３           柄部
３１、３２    挟持部
３３      スリット
３４      櫛歯
４         下段ブラシ部
４２      開口
５      マッサージ部
５１      マッサージ盤
５２      開口
５４      中央凸部
５５      Ｖ形切込み
６      下段マッサージ部
６１      マッサージ盤
６２      開口
７      回転軸
８      下段変形マッサージ部
８１  マッサージ盤
８２  開口
８５  Ｕ字切込み
Ｈ  手
【図１】
0006260910.tif 000002
【図２】
0006260910.tif 000003
【図３】
0006260910.tif 000004
【図４】
0006260910.tif 000005
【図５】
0006260910.tif 000006
【図６】
0006260910.tif 000007
【図７】
0006260910.tif 000008
【図８】
0006260910.tif 000009
【図９】
0006260910.tif 000010
【図１０】
0006260910.tif 000011
【図１１】
0006260910.tif 000012
【図１２】
0006260910.tif 000013
【図１３】
0006260910.tif 000014
【図１４】
0006260910.tif 000015
【図１５】
0006260910.tif 000016
【図１６】
0006260910.tif 000017
【図１７】
0006260910.tif 000018
【図１８】
0006260910.tif 000019
【図１９】
0006260910.tif 000020